(57)【要約】【課題】血液室内の圧力変動をダイアフラムにより、空気室内の空気を介して、圧力計に伝達しやすくした圧力モニタ用ドリップチャンバを提供すること。【解決手段】上部接続部２、下部接続部３、中間接続部５、第一接続管７及び第二接続管８を有する。ドリップチャンバ１の内部に、ダイアフラム15を配置し、ダイアフラム15は、変形部16及び固定部17を有し、変形部16を介してドリップチャンバ１内部空間を、空気室ＳＰＡと血液室ＳＰＢとに区画している。固定部17は上部Ｕ側に向けて略ドーム状の変形部16を突設し、または内部に略シート状の変形部16を形成している。変形部16は、気体透過性を有し、かつ前記血液室ＳＰＢ内の圧力変動により弾性変形して、空気室ＳＰＡ内の空気を介して、血液室ＳＰＢ内の圧力変動を、圧力計に伝達することのできる材料により形成している。【選択図】図２
2016154581.tif 000002
【特許請求の範囲】
【請求項１】
上部接続部（２）、下部接続部（３）、中間接続部（５）、第一接続管（７）及び第二接続管（８）を有し、
上部接続部（２）は、下部（Ｄ）側に、第一接続管（７）を介して、中間接続部（５）の上部（Ｕ）を接続し、
中間接続部（５）は、上部（Ｕ）側に第一接続管（７）を介して、上部接続部（２）の下部（Ｄ）側を接続し、さらに下部（Ｄ）側に第二接続管（８）を介して、下部接続部（３）の上部（Ｕ）側を接続し、
下部接続部（３）は、上部（Ｕ）側に、第二接続管（８）を介して、中間接続部（５）の下部（Ｄ）側を接続し、
血液流入管（１０）は、血液流入口（１０Ｉ）と、開口部（１０Ｏ）とを有し、
血液流入管（１０）は、一方向の側部（Ｓ）から他方向の側部（Ｓ）側に向けて、前記中間接続部（５）に装着し、
ドリップチャンバ（１）の内部に、ダイアフラム（１５）を配置し、 
当該ダイアフラム（１５）は、少なくとも変形部（１６）及び固定部 （１７）を有し、
前記変形部（１６）を介して、ドリップチャンバ（１）内部空間を、空気室（ＳＰＡ）と血液室（ＳＰＢ）とに区画し、
前記固定部 （１７）を、前記第一接続管（７）の下部（Ｄ）と、前記中間接続部（５）の上部（Ｕ）側の溝部（５ＭＵ）との間に配置し、
前記固定部 （１７）は略環状の形態を有し、当該固定部（１７）の上部（Ｕ）側に向けて略ドーム状の変形部（１６．１、１６．２）を突設し、または
当該固定部（１７）の内部に略シート状の変形部（１６．３、１６．４、１６．５）を形成し、
前記変形部（１６）は、気体透過性を有し、かつ前記血液室（ＳＰＢ）内の圧力変動により弾性変形して、前記空気室（ＳＰＡ）内の空気を介して、前記血液室（ＳＰＢ）内の圧力変動を、圧力計に伝達することのできる材料により形成した、
ことを特徴とする圧力モニタ用ドリップチャンバ（１、２０１、３０１）。
【請求項２】
上部接続部（２）、下部接続部（３）、中間接続部（５）、及び接続管（８）を有し、
上部接続部（２）は、下部（Ｄ）側に、中間接続部（５）の上部（Ｕ）を接続し、
中間接続部（５）は、上部（Ｕ）側に、上部接続部（２）の下部（Ｄ）側を接続し、さらに下部（Ｄ）側に接続管（８）を介して、下部接続部（３）の上部（Ｕ）側を接続し、
下部接続部（３）は、上部（Ｕ）側に、接続管（８）を介して、中間接続部（５）の下部（Ｄ）側を接続し、
血液流入管（１０）は、血液流入口（１０Ｉ）と、開口部（１０Ｏ）とを有し、
血液流入管（１０）は、一方向の側部（Ｓ）から他方向の側部（Ｓ）側に向けて、前記中間接続部（５）に装着し、
ドリップチャンバ（１）の内部に、ダイアフラム（１５）を配置し、 
当該ダイアフラム（１５）は、少なくとも変形部（１６）及び固定部 （１７）を有し、
前記変形部（１６）を介して、ドリップチャンバ（１）内部空間を、空気室（ＳＰＡ）と血液室（ＳＰＢ）とに区画し、
前記固定部 （１７）を、前記上部接続部（２）の下部（Ｄ）側の溝（２Ｍ）と、前記中間接続部（５）の上部（Ｕ）側の溝部（５ＭＵ）との間に配置し、
前記固定部 （１７）は略環状の形態を有し、当該固定部（１７）の上部（Ｕ）側に向けて略ドーム状の変形部（１６）を突設し、または
当該固定部（１７）の内部に略シート状の変形部（１６）を形成し、
前記変形部（１６）は、気体透過性を有し、かつ前記血液室（ＳＰＢ）内の圧力変動により弾性変形して、前記空気室（ＳＰＡ）内の空気を介して、前記血液室（ＳＰＢ）内の圧力変動を、圧力計に伝達することのできる材料により形成した、
ことを特徴とする圧力モニタ用ドリップチャンバ（５０１）。
【請求項３】
請求項１または請求項２に記載の血液流入管（１０）に代えて、
一方向の側部（Ｓ）から他方向の側部（Ｓ）側、かつ下部（Ｄ）側から上部（Ｕ）側）に向けて、血液流入口（２１０Ｉ）から開口部（２１０Ｏ）方向へ上るように傾斜して、前記中間接続部（５）に装着し、さらに
一方向の側部（Ｓ）−他方向の側部（Ｓ）方向の水平線（ＨＬ）と、血液流入管（１０）の長手（Ｌ）方向に沿う中心線（ＣＬ）とが鋭角で交わる角度を血液流入角度（θ）と定めると、血液流入角度（θ）は、最大４５°に形成した、血液流入管（２１０）
を装着したことを特徴とする請求項１または請求項２に記載の圧力モニタ用ドリップチャンバ（１、２０１、３０１、５０１）。
【請求項４】
血液流入点（ＢＩＰ）を、血液が中間接続部（５）からドリップチャンバ（１）内部に流入する位置と定め、
最上点（ＨＰ）を、ドリップチャンバ（１）の最上位置で、上部接続部（２）の最上位置と定め、
最下点（ＬＰ）を、ドリップチャンバ（１）の最下位置で、下部接続部（３）の最下位置と定め、
チャンバ全体の長さ（ＡＬ）を、最上点（ＨＰ）から最下点（ＬＰ）までの長さと定め、
最上点（ＨＰ）から血液流入点（ＢＩＰ）までの長さを（Ｌ１）と定め、
血液流入点（ＢＩＰ）から最下点（ＬＰ）までの長さを（Ｌ２）と定め、
最上点（ＨＰ）からダイアフラム（１５）の変形部（１６）の天面（ＵＰ）までの長さを（Ｌ３）と定め、
ダイアフラム（１５）の変形部（１６）の天面（ＵＰ）から最下点（ＬＰ）までの長さを（Ｌ４）と定め、
血液流入点（ＢＩＰ）からダイアフラム（１５）の変形部（１６）の底面（ＤＰ）までの距離を（Ｌ５）と定め、
ダイアフラム（１５）の変形部（１６）の高さ（Ｈ）を、ダイアフラム（１５）の変形部（１６）の天面（ＵＰ）から固定部（１７）までの距離と定め、
各部の長さ（Ｌ１〜Ｌ５）、高さ（Ｈ）、血液流入角度（θ）の関係を、不等号＞、＜、≦で表すと、
（Ｌ１）＞（Ｌ２）、（Ｌ１）＞（Ｌ３）、（Ｌ３）＜（Ｌ４）、（Ｌ３）＞（Ｌ５）、（Ｌ５）＞（Ｈ）、０≦θ≦４５°、かつ（ＡＬ）１００に対し、（Ｌ３）は３５以下、
または
（Ｌ１）＞（Ｌ２）、（Ｌ１）＞（Ｌ３）、（Ｌ３）＜（Ｌ４）、（Ｌ３）≦（Ｌ５）、（Ｌ５）＞（Ｈ）、０≦θ≦４５°、
であることを特徴とする請求項１から請求項３のいずれか１項に記載の圧力モニタ用ドリップチャンバ（１、２０１、３０１、５０１）。
【請求項５】
（ＡＬ）１００に対して、
（Ｌ３）は１０〜３０、（Ｌ５）は３〜２０、（Ｈ）は０〜２０に形成した、ことを
特徴とする請求項１から請求項４のいずれか１項に記載の圧力モニタ用ドリップチャンバ（１、２０１、３０１、５０１）。
【発明の詳細な説明】
【技術分野】
【０００１】
本発明は血液浄化治療に使用される体外循環回路の途中に配置されて使用され、
血液と空気とが接触することなく圧力を計測することができ、ヘパリンを使用しないか、使用してもかなりの量を減らして体外循環を行うことができる圧力モニタ用ドリップチャンバの改良である。
本発明は血液室内の圧力変動をダイアフラムにより、空気室内の空気を介して、圧力計に伝達しやすくした圧力モニタ用ドリップチャンバである。
本発明の圧力モニタ用ドリップチャンバ（以下一部を除いて、記載を簡略化するために単に「ドリップチャンバ」と記載する）は静脈側と動脈側ドリップチャンバのどちらにも使用することができる。
【背景技術】
【０００２】
特許文献１（特許文献に記載の発明の各部材をわかりやすく説明するために、符号を記載した。特許文献の符号は、本願発明の符号と区別するために、〈  〉をつけた。）
には、以下の圧力モニタ用ドリップチャンバの発明が開示されている。
ドリップチャンバ〈１０〉の管本体〈１１〉内に、空気チャンバ〈１１ａ〉と血液チャンバ〈１１ｂ〉とに区分する伸縮自在な隔膜〈２０〉を設けている。
空気チャンバ〈１１ａ〉に、その中の空気に対して隔膜〈２０〉を介して接する血液チャンバ〈１１ｂ〉内の血液の圧力を測定する圧力計〈３０〉を連通するよう接続している。
血液チャンバ〈１１ｂ〉に、血液流入口〈１２〉と血液流出口〈１３〉とを設けると共に、血液回路内に混じった空気を除去する空気除去ライン〈１４〉を連通するよう接続している。
【０００３】
また出願人は、特許文献２に、以下の圧力モニタ用ドリップチャンバ〈１〉の発明を開示した。
本体〈２〉の内部に空気室〈Ａ〉と血液室〈Ｂ〉の二室に区分する隔膜〈４〉を配置し、前記血液室〈Ｂ〉の上部の側部に血液流入口〈５〉を配置し、当該血液室〈Ｂ〉の底部にフィルター〈３〉を配置するとともに血液流出口〈６〉を配置している。
前記空気室〈Ａ〉の上部に圧力モニタライン〈７〉と隔膜緊張調整ライン〈８〉を配置している。
前記隔膜〈４〉は、圧力の変動により弾性変形せず、圧力が印加されると変形し、圧力の印加がなくなっても変形した状態を維持することのできる可塑性を有する材料により形成している。
隔膜〈４〉は、圧力の変動により、膨張ないし萎縮して上下に動くことができるように、前記本体内〈２〉にたるみをもたせた状態で装着している。
【先行技術文献】
【特許文献】
【０００４】
【特許文献１】特開Ｈ０９−５６８１７号公報（要約の欄）
【特許文献２】特許第４２０４４２６号公報（特許請求の範囲、図１）
【発明の概要】
【発明が解決しようとする課題】
【０００５】
特許文献１に記載の発明は、
（Ａ）血液流入口〈１２〉と隔膜〈２０〉までの距離が遠いので、血液チャンバ〈１１ｂ〉内の血液の圧力が、空気チャンバ〈１１ｂ〉内の空気に伝わりにくい。このため血液チャンバ〈１１ｂ〉内の圧力変動は、圧力計〈３０〉で正確に検出しにくい。
（Ｂ）隔膜〈２０〉に、空気除去ライン〈１４〉を接続して、血液チャンバ〈１１ｂ〉内と連通してるので、血液チャンバ〈１１ｂ〉内の圧力が急激に上昇した場合、血液が空気除去ライン〈１４〉内に侵入し、血液凝固が発生する懸念がある。
（Ｃ）隔膜〈２０〉は、空気除去ライン〈１４〉を接続しているため、血液チャンバ〈１１ｂ〉内の圧力変動により変位しにくい。このため血液チャンバ〈１１ｂ〉内の微細な血液の圧力変動を、目視で確認しずらい。
（Ｄ）空気チャンバ〈１１ｂ〉内に空気除去ライン〈１４〉を配置しているため、空気チャンバ〈１１ｂ〉内の容積が大きくなる。このため前記（Ａ）と同様に、血液チャンバ〈１１ｂ〉内の圧力変動は、圧力計〈３０〉で正確に検出しにくい。
等の課題が指摘される。
【０００６】
特許文献２に記載の発明は、
（Ｅ）隔膜〈４〉は、圧力の変動により弾性変形せず、圧力が印加されると変形し、圧力の印加がなくなっても変形した状態を維持するものであるから、前記（Ａ）、（Ｃ）と同様の課題が指摘される。
（Ｆ）また隔膜〈４〉はチャンバ内壁に直接溶着固定するものであるから、強い圧力が引加されると、溶着箇所から破損する可能性がある。
（Ｇ）また溶着箇所に段差、微細な凹凸が残存すると、これらの箇所に気泡溜、血液凝固が発生する懸念がある。
そこで、本発明者は以上の課題を解決するために鋭意検討を重ねた結果、次の発明に到達した。
【課題を解決するための手段】
【０００７】
［１］本発明は、上部接続部（２）、下部接続部（３）、中間接続部（５）、第一接続管（７）及び第二接続管（８）を有し、
上部接続部（２）は、下部（Ｄ）側に、第一接続管（７）を介して、中間接続部（５）の上部（Ｕ）を接続し、
中間接続部（５）は、上部（Ｕ）側に第一接続管（７）を介して、上部接続部（２）の下部（Ｄ）側を接続し、さらに下部（Ｄ）側に第二接続管（８）を介して、下部接続部（３）の上部（Ｕ）側を接続し、
下部接続部（３）は、上部（Ｕ）側に、第二接続管（８）を介して、中間接続部（５）の下部（Ｄ）側を接続し、
血液流入管（１０）は、血液流入口（１０Ｉ）と、開口部（１０Ｏ）とを有し、
血液流入管（１０）は、一方向の側部（Ｓ）から他方向の側部（Ｓ）側に向けて、前記中間接続部（５）に装着し、
ドリップチャンバ（１）の内部に、ダイアフラム（１５）を配置し、 
当該ダイアフラム（１５）は、少なくとも変形部（１６）及び固定部 （１７）を有し、
前記変形部（１６）を介して、ドリップチャンバ（１）内部空間を、空気室（ＳＰＡ）と血液室（ＳＰＢ）とに区画し、
前記固定部 （１７）を、前記第一接続管（７）の下部（Ｄ）と、前記中間接続部（５）の上部（Ｕ）側の溝部（５ＭＵ）との間に配置し、
前記固定部 （１７）は略環状の形態を有し、当該固定部（１７）の上部（Ｕ）側に向けて略ドーム状の変形部（１６．１、１６．２）を突設し、または
当該固定部（１７）の内部に略シート状の変形部（１６．３、１６．４、１６．５）を形成し、
前記変形部（１６）は、気体透過性を有し、かつ前記血液室（ＳＰＢ）内の圧力変動により弾性変形して、前記空気室（ＳＰＡ）内の空気を介して、前記血液室（ＳＰＢ）内の圧力変動を、圧力計に伝達することのできる材料により形成した圧力モニタ用ドリップチャンバ（１、２０１、３０１）を提供する。
【０００８】
［２］本発明は、上部接続部（２）、下部接続部（３）、中間接続部（５）、及び接続管（８）を有し、
上部接続部（２）は、下部（Ｄ）側に、中間接続部（５）の上部（Ｕ）を接続し、
中間接続部（５）は、上部（Ｕ）側に、上部接続部（２）の下部（Ｄ）側を接続し、さらに下部（Ｄ）側に接続管（８）を介して、下部接続部（３）の上部（Ｕ）側を接続し、
下部接続部（３）は、上部（Ｕ）側に、接続管（８）を介して、中間接続部（５）の下部（Ｄ）側を接続し、
血液流入管（１０）は、血液流入口（１０Ｉ）と、開口部（１０Ｏ）とを有し、
血液流入管（１０）は、一方向の側部（Ｓ）から他方向の側部（Ｓ）側に向けて、前記中間接続部（５）に装着し、
ドリップチャンバ（１）の内部に、ダイアフラム（１５）を配置し、 
当該ダイアフラム（１５）は、少なくとも変形部（１６）及び固定部 （１７）を有し、
前記変形部（１６）を介して、ドリップチャンバ（１）内部空間を、空気室（ＳＰＡ）と血液室（ＳＰＢ）とに区画し、
前記固定部 （１７）を、前記上部接続部（２）の下部（Ｄ）側の溝（２Ｍ）と、前記中間接続部（５）の上部（Ｕ）側の溝部（５ＭＵ）との間に配置し、
前記固定部 （１７）は略環状の形態を有し、当該固定部（１７）の上部（Ｕ）側に向けて略ドーム状の変形部（１６）を突設し、または
当該固定部（１７）の内部に略シート状の変形部（１６）を形成し、
前記変形部（１６）は、気体透過性を有し、かつ前記血液室（ＳＰＢ）内の圧力変動により弾性変形して、前記空気室（ＳＰＡ）内の空気を介して、前記血液室（ＳＰＢ）内の圧力変動を、圧力計に伝達することのできる材料により形成した圧力モニタ用ドリップチャンバ（５０１）を提供する。
【０００９】
［３］本発明は、［１］または［２］に記載の血液流入管（１０）に代えて、
一方向の側部（Ｓ）から他方向の側部（Ｓ）側、かつ下部（Ｄ）側から上部（Ｕ）側）に向けて、血液流入口（２１０Ｉ）から開口部（２１０Ｏ）方向へ上るように傾斜して、前記中間接続部（５）に装着し、さらに
一方向の側部（Ｓ）−他方向の側部（Ｓ）方向の水平線（ＨＬ）と、血液流入管（１０）の長手（Ｌ）方向に沿う中心線（ＣＬ）とが鋭角で交わる角度を血液流入角度（θ）と定めると、血液流入角度（θ）は、最大４５°に形成した、血液流入管（２１０）
を装着した［１］または［２］に記載の圧力モニタ用ドリップチャンバ（１、２０１、３０１、５０１）を提供する。
【００１０】
［４］本発明は、血液流入点（ＢＩＰ）を、血液が中間接続部（５）からドリップチャンバ（１）内部に流入する位置と定め、
最上点（ＨＰ）を、ドリップチャンバ（１）の最上位置で、上部接続部（２）の最上位置と定め、
最下点（ＬＰ）を、ドリップチャンバ（１）の最下位置で、下部接続部（３）の最下位置と定め、
チャンバ全体の長さ（ＡＬ）を、最上点（ＨＰ）から最下点（ＬＰ）までの長さと定め、
最上点（ＨＰ）から血液流入点（ＢＩＰ）までの長さを（Ｌ１）と定め、
血液流入点（ＢＩＰ）から最下点（ＬＰ）までの長さを（Ｌ２）と定め、
最上点（ＨＰ）からダイアフラム（１５）の変形部（１６）の天面（ＵＰ）までの長さを（Ｌ３）と定め、
ダイアフラム（１５）の変形部（１６）の天面（ＵＰ）から最下点（ＬＰ）までの長さを（Ｌ４）と定め、
血液流入点（ＢＩＰ）からダイアフラム（１５）の変形部（１６）の底面（ＤＰ）までの距離を（Ｌ５）と定め、
ダイアフラム（１５）の変形部（１６）の高さ（Ｈ）を、ダイアフラム（１５）の変形部（１６）の天面（ＵＰ）から固定部（１７）までの距離と定め、
各部の長さ（Ｌ１〜Ｌ５）、高さ（Ｈ）、血液流入角度（θ）の関係を、不等号＞、＜、≦で表すと、
（Ｌ１）＞（Ｌ２）、（Ｌ１）＞（Ｌ３）、（Ｌ３）＜（Ｌ４）、（Ｌ３）＞（Ｌ５）、（Ｌ５）＞（Ｈ）、０≦θ≦４５°、かつ（ＡＬ）１００に対し、（Ｌ３）は３５以下、
または
（Ｌ１）＞（Ｌ２）、（Ｌ１）＞（Ｌ３）、（Ｌ３）＜（Ｌ４）、（Ｌ３）≦（Ｌ５）、（Ｌ５）＞（Ｈ）、０≦θ≦４５°、
である［１］から［３］のいずれか１つに記載の圧力モニタ用ドリップチャンバ（１、２０１、３０１、５０１）を提供する。
【００１１】
［５］本発明は、（ＡＬ）１００に対して、（Ｌ３）は１０〜３０、（Ｌ５）は３〜２０、（Ｈ）は０〜２０に形成した［１］から［４］のいずれか１つに記載の圧力モニタ用ドリップチャンバ（１、２０１、３０１、５０１）を提供する。
【発明の効果】
【００１２】
本発明のドリップチャンバ１、２０１、３０１、５０１（第１実施例、第２実施例、第３実施例、第４実施例）によれば、
〈１〉：ダイアフラム１５を、気体透過性を有しかつ弾性変形性能を有する材質で形成し、血液流入口１０の開口部１０Ｏを、ダイアフラム１５の近傍に配置しているので、血液室ＳＰＢ内の圧力変動を、空気室ＳＰＡの空気に伝達しやすく、圧力計で血液室ＳＰＢ内の圧力変動を、正確に測定することができる。
【００１３】
〈２〉：三部品からなる接続部（上部接続部２、中間接続部３、下部接続部５）と
二部品または一部品からなる接続管（第一接続管７、（第二）接続管８）とにより構成し、これらの間に、ダイアフラム１５（変形部１６と固定部１７を一体成形）を配置するので、
ダイアフラム１５の変形部１６の高さＨ、前記接続部（２）の長さ、前記接続管（７）
の長さを変更（省略も含む）することにより、空気室ＳＰＢの容積ＶＡを小さくすることができる。
〈３〉：〈２〉により、さらに精密に血液室ＳＰＢ内の圧力変動を、空気室ＳＰＡの空気に伝達しやすく、圧力計で血液室ＳＰＢ内の圧力変動を、正確に測定することができる。
【図面の簡単な説明】
【００１４】
【図１】図１は、本発明（第１実施例）のドリップチャンバ１の概略図である。（Ａ）は第３側部Ｓ３方向から見た側面図。（Ｂ）は第２側部Ｓ２方向から見た側面図。（Ｃ）は上部Ｕ方向から見た平面図である。
【図２】図２は、図１（Ａ）のＳ３−Ｓ４の縦断面を、Ｓ２方向から見た断面図である。
【図３】図３は、本発明（第２実施例）のドリップチャンバ１０１の概略図である。（Ａ）は第３側部Ｓ３方向から見た側面図。（Ｂ）は第２側部Ｓ２方向から見た側面図。
【図４】図４は、図３（Ａ）のＳ３−Ｓ４の縦断面を、Ｓ２方向から見た断面図である。
【図５】図５は、本発明（第２実施例）のドリップチャンバ２０１に使用するダイアフラムの一例（１５．１）を示す概略図である。（Ａ）は正面図、（Ｂ）は断面図、（Ｃ）は平面図。
【図６】図６は、本発明（第３実施例）のドリップチャンバ３０１に使用するダイアフラムの一例（１５．２）を示す概略図である。（Ａ）は正面図、（Ｂ）は断面図、（Ｃ）は平面図。
【図７】図７は、本発明（第１実施例）のドリップチャンバ１に使用するダイアフラムの一例（１５．３）を示す概略図である。（Ａ）は正面図、（Ｂ）は断面図、（Ｃ）は平面図。
【図８】図８は、図７のダイアフラム１５．３関連のその他の例のダイアフラム（１５．４）を示す概略図である。（Ａ）は正面図、（Ｂ）は断面図、（Ｃ）は平面図。
【図９】図９は、本発明（第２実施例、第３実施例）のドリップチャンバ２０１、３０１の概略図である。（Ａ）は図４の一部拡大図、（Ｂ）はドリップチャンバ３０１の一部拡大図である。
【図１０】図１０は、本発明（第２実施例）のドリップチャンバ２０１と比較例のドリップチャンバ４０１の概略図である。（Ａ）は図４の一部拡大図、（Ｂ）はドリップチャンバ４０１の断面図、（Ｃ）は（Ｂ）の一部拡大図である。
【図１１】図１１（Ａ）、（Ｂ）は、本発明のドリップチャンバの概念図である。（Ａ）は第４実施例のドリップチャンバ４０１を想定。（Ｂ）は第３実施例のドリップチャンバ３０１を想定。
【図１２】図１２（Ａ）、（Ｂ）は、ドリップチャンバの作動例を示す概略図である。（Ａ）は、第１〜第４実施例のドリップチャンバ１、２０１、３０１、５０１を想定。（Ｂ）は、比較例のドリップチャンバ４０１を想定。
【図１３】図１３（Ａ）、（Ｂ）は、本発明（第４実施例）のドリップチャンバ５０１の概略図である。（Ａ）は第３側部Ｓ３方向から見た側面図。（Ｂ）は（Ａ）のＳ３−Ｓ４の縦断面を、Ｓ２方向から見た断面図である。
【図１４】図１４は、図１３（Ｂ）の一部拡大図である。
【発明を実施するための形態】
【００１５】
以下、図面を参照しながら本発明（第１実施例、第２実施例、第３実施例、第４実施例）と比較例を説明する。
以下、本発明を明確に説明するため、次の定義をおく。
以下、符号の煩雑化を避けるため、例えば「ドリップチャンバ１、２０１、３０１、４０１、５０１」等とあるのは、単に「ドリップチャンバ１」等と記載する。「ドリップチャンバ１」等と記載しても、「ドリップチャンバ１」に共通する部分は、「ドリップチャンバ２０１、３０１、４０１、５０１」も含むことに留意されたい。
【００１６】
（定義１）本発明のドリップチャンバ１で、「上部Ｕ側（または方向という場合がある）」とは、図１、図２に示すように、上部接続部２側の端部を意味する。
「下部Ｄ側（または方向という場合がある）」とは、図１、図２に示すように、「上部Ｕ側（または方向という場合がある）」と反対側の端部を意味する。さらにいえば、
図１、図２に示すように、下部接続部３側の端部を意味する。
【００１７】
（定義２）本発明のドリップチャンバ１で、「第１側部Ｓ１側（または方向という場合がある）」とは、図１（Ａ）では紙面の右側の方向、図１（Ｂ）では紙面の背面側の方向を意味する。
「第２側部Ｓ２側（または方向という場合がある）」とは、図１（Ａ）では紙面の左側の方向、図１（Ｂ）では紙面の正面側の方向を意味する。
【００１８】
「第３側部Ｓ３側（または方向という場合がある）」とは、図１（Ａ）では紙面の正面側の方向、図１（Ｂ）では紙面の右側の方向を意味する。
「第４側部Ｓ４側（または方向という場合がある）」とは、図１（Ａ）では紙面の背面側の方向、図１（Ｂ）は紙面の左側の方向を意味する。
単に側部Ｓ方向とは、前記第１側部Ｓ１側（または方向という場合がある）から前記第４側部Ｓ４側（または方向という場合がある）の全ての方向ないしこれらの間の全てを含む。
第１側部Ｓ１から第４側部Ｓ４のいずれか１つを、「一方向の側部Ｓ」（例えば第１側部Ｓ１側）、「他方向の側部Ｓ」（例えば第２側部Ｓ２側）と記載する場合がある。
「第１側部Ｓ１から第２側部Ｓ２」、「第３側部Ｓ３から第４側部Ｓ４」を、「一方向の側部Ｓから他方向の側部Ｓ」と記載する場合がある。
（定義３）
本発明のドリップチャンバ１で、「長手方向」とは、「ドリップチャンバ１」の長尺方向（長い方向）を意味する。
【００１９】
［ドリップチャンバ１、２０１、３０１、４０１、５０１］
本発明（第１実施例、第２実施例、第３実施例、第４実施例）のドリップチャンバ１、２０１、３０１、５０１と比較例のドリップチャンバ４０１について、以下、図面を参照しながら説明する。
図１から図２は、第１実施例のドリップチャンバ１、図３から図４は、第２実施例のドリップチャンバ２０１、図５から図８は、本発明（第１実施例、第２実施例、第３実施例、第４実施例）のドリップチャンバ１、２０１、３０１、５０１と比較例のドリップチャンバ４０１に使用するダイアフラム１５の一例（１５．１〜１５．４）を示している。
図９（Ｂ）［図１１（Ｂ）］は第３実施例のドリップチャンバ３０１、図１０（Ｂ）、（Ｃ）は比較例のドリップチャンバ４０１を示している。
図１３（Ａ）、（Ｂ）、図１４は、第４実施例のドリップチャンバ５０１を示している。
【００２０】
第２実施例のドリップチャンバ２０１が、第１実施例のドリップチャンバ１と主に異なる点は、ダイアフラム１５．１（略ドーム状の変形部１６．１を有する）を配置し、血液流入管２１０が傾斜している点である。
第３実施例のドリップチャンバ３０１が、ドリップチャンバ２０１と異なる点は、
ダイアフラム１５．２（さらに高くした略ドーム状の変形部１６．２を有する）を配置している点である。なお図９（Ｂ）では、傾斜していない血液流入管１０を記載しているが変形部１６．２が高いので、傾斜した血液流入管２１０のほうが好ましい。
比較例のドリップチャンバ４０１が、ドリップチャンバ２０１と異なる点は、第一接続管７の長さを長くしている点である。
第４実施例のドリップチャンバ５０１が、第１〜３実施例、比較例のドリップチャンバ１、２０１、３０１、４０１と異なる点は、第一接続管７を無くして、上部接続部２と中間接続部５の間に、ダイアフラム１５．５を配置している点である。
【００２１】
以下、発明の説明、図面において、説明、符号の煩雑化を防ぐために、主として第１実施例のドリップチャンバ１について説明する。第２実施例〜第４実施例のドリップチャンバ２０１、３０１、５０１は、第１実施例のドリップチャンバ１と異なる部分（形状・構造）、使用方法のみ説明する。比較例のドリップチャンバ４０１も同じ。
第２実施例〜第４実施例のドリップチャンバ２０１、３０１、５０１は、第１実施例のドリップチャンバ１と異なる部材のみに、異なる符号を記載した。共通する部材の符号はそのままとした。比較例のドリップチャンバ４０１も同じ。
ドリップチャンバ１は、上部接続部２、下部接続部３、中間接続部５、第一接続管７及び第二接続管８を有する。
ドリップチャンバ５０１は、第一接続管７がなく、第二接続管８が接続管８となる。
【００２２】
[上部接続部２]
上部接続部２は、トラップキャップ、上部キャップ、上部筒体という場合がある。
上部接続部２は、図１、図２に例示するように、いわゆる「略管状」の形態を有する。上部接続部２は、上部Ｕ側に、圧力モニタ管２Ｐを形成（突設）している。後述する図１２に示すように、圧力モニタ管２Ｐに接続管等を介して、圧力計を接続する。
【００２３】
ドリップチャンバ１は、上部接続部２は、下部Ｄ側に、第一接続管７を介して、中間接続部５の上部Ｕを接続している。
上部接続部２は、下部Ｄ側の内壁に、第一接続管７を、嵌合して接続できる溝部２Ｍを形成している。
ドリップチャンバ５０１は、上部接続部２は、下部Ｄ側に、ダイアフラム１５．５を配置し、当該ダイアフラム１５．５を中間接続部５の上部Ｕ側との間に、挟持している。
【００２４】
[下部接続部３]
ドリップチャンバ１は、下部接続部３は、アンダーキャップ、下部キャップ、下部筒体という場合がある。
下部接続部３は、図１、図２に例示するように、いわゆる「漏斗状」の形態を有する。途中にテーパ３Ｔ（２箇所）を形成している。
下部接続部３は、下部Ｄ側に、血液流出管１１を接続（一体成形）している。
下部接続部３は、上部Ｕ側に、第二接続管８を介して、中間接続部５の下部Ｄ側を接続している。
下部接続部３は、上部Ｕ側の内壁に、第二接続管８を嵌合して接続できる溝部３Ｍを形成している。
【００２５】
[中間接続部５]
ドリップチャンバ１は、中間接続部５は、図１、図２に例示するように、いわゆる「略管状」の形態を有する。
中間接続部５は、第３側部Ｓ３方向に沿うように、血液流入管１０を配置している。
中間接続部５は、上部Ｕ側に第一接続管７を介して、上部接続部２の下部Ｄ側を接続している。さらに下部Ｄ側に第二接続管８を介して、下部接続部３の上部Ｄ側を接続している。
【００２６】
中間接続部５は、内壁の上部Ｕ側に第一接続管７との間にダイアフラム１５の固定部１６を挟持して固定できる溝部５ＭＵを形成している。
また下部Ｄ側に、第二接続管８の上部Ｕ側を嵌合して接続できる溝部５ＭＤを形成している。
ドリップチャンバ５０１は、中間接続部５は、内壁の上部Ｕ側に上部接続部２との間にダイアフラム１５．５の固定部１７．５を挟持して固定できる溝部５ＭＵを形成している。
【００２７】
[ダイアフラム１５（１５．１、１５．２、１５．３、１５．４、１５．５）]
図５から図９、図１４の一部は、本発明のドリップチャンバ１、２０１、３０１、５０１内に配置される、ダイアフラム１５（１５．１、１５．２、１５．３、１５．４、１５．５）の一例を示す。
以下、符号の記載を簡略化するため図５から図９、図１４のダイアフラムの全てに共通する説明は、単に「１５」と記載する。（以下符号、１６、１７、１８も同じ。）
ダイアフラム１５は、変形部１６及び固定部１７を有し、さらに底部１８．１等を有する場合がある。
固定部１７は、いわゆる「略環状」（または「フランジ」ともいう）の形態を有する。
【００２８】
図５、図６のダイアフラム１５．１、１５．２は、当該固定部１７．１、１７．２の上部Ｕ側に向けて、いわゆる「略ドーム状」の変形部１６．１、１６．２を突設している。当該変形部１６．１、１６．２は、ドリップチャンバ２０１、３０１の内部をいわゆる「空気室ＳＰＡ」（「上部空間」ともいう）といわゆる「血液室ＳＰＢ」（「下部空間」ともいう）に区画する。
さらに固定部１７．１、１７．２の下部Ｕ側に向けて、いわゆる「略小環状」（または「略短管状」もしくは「略筒状」ともいう）の底部１８．１、１８．２を突設している。
【００２９】
図７、図８、図１４のダイアフラム１５．３、１５．４、１５．５は、固定部１７．３、１７．４、１７．５の内部に、いわゆる「略シート状」の変形部１６．３、１６．４、１６．５を形成している。
ダイアフラム１５．３、１５．４は、内部の略中央に、変形部１６．３、１６．４、を形成し、ダイアフラム１５．５は、内部の上部Ｕ側に変形部１６．５を形成している。
当該変形部１６．３、１６．４、１６．５は、ドリップチャンバ１、５０１の内部を空気室ＳＰＡと血液室ＳＰＢとに区画する。
図７のダイアフラム１５．３は、固定部１７．３の上部Ｕ側と下部Ｄ側の両方に、
いわゆる「略小環状」の天上部１８．３Ｕと底部１８．３を突設している。
図９（Ｂ）のダイアフラム１５．２は、「略ドーム状」の変形部１６．２をさらに上部Ｕ側に突設（延設）し、空気室ＳＰＡの容積ＶＡを小さくした例である。
【００３０】
ダイアフラム１５の材質は、
（ａ）気体（空気等）は容易に透過（通過）するが、液体（血液等）は、透過（通過）しないもの。
（ｂ）空気室ＳＰＡと血液室ＳＰＢ内の圧力変動を敏感に察知し、これにより容易に弾性変形しやすいもの。
が好ましい。
例えば、ゴム（シリコーンゴム、イソプレンゴム）、熱可塑性エラストマー（熱を加えると軟化して流動性を示し、冷却すればゴム状に戻る性質を持つエラストマーで、スチレン系、オレフィン系、塩ビ系、ウレタン系、アミド系等）が挙げられる。
ダイアフラム１５の形態の例は、前記したが、特に変形部１６の厚みは、他の部位よりも薄く形成するのがよい。
例えば、図１４のダイアフラム１５．５は、固定部１７．５の厚みを大きくし、変形部１６の厚みを小さくしている。
ダイアフラム１５は、図２のように固定部１６を、中間接続部５の上部Ｕ側の溝部５ＭＵと、第一接続管７の下部Ｄ側の溝２Ｍとの間に配置して、挟持して固定する。
また第４実施例のドリップチャンバ５０１は、図１４のように、ダイアフラム１５．５は、固定部１７．５を、中間接続部５の上部Ｕ側の溝部５ＭＵと、上部接続部２の下部Ｄ側の溝部２Ｍとの間に配置して、挟持して固定する。
ダイアフラム１５は、変形部１６及び固定部１７（底部１８を有する場合は底部も含む）は一体成形により形成するのが好ましい。
【００３１】
[血液流入管１０]
血液流入管１０は、血液流入口１０Ｉと、開口部１０Ｏとを有する。
さらに詳述すれば、血液流入管１０は、ドリップチャンバ１の一方向の側部Ｓ側から他方向の側部Ｓ側、具体的には第３側部Ｓ３側（血液流入口１０Ｉ側）から第４側部Ｓ４側（開口部１０Ｏ）に略平行に沿うように配置している。
開口部１０Ｏは、一方向の側部Ｓと他方向の側部Ｓとの間で、一方向の側部Ｓに近い位置に配置し、具体的には第１側部Ｓ１側と第３側部Ｓ３との間で、第１側部Ｓ１側に近い位置に配置している。
中間接続部５の内部と、血液流入管１０の内部とは、開口部１０Ｏを経て連通している。
開口部１０Ｏは、中間接続部５の略中腹部に位置するように配置している。
また開口部１０Ｏは、第１実施例、第２実施例のドリップチャンバ１、２０１では、ダイアフラム１５．１、１５．３の底面ＤＰ側近傍に位置している。第３実施例、第４実施例のドリップチャンバ１、２０１では、ダイアフラム１５．２、１５．５の底面ＤＰと第１実施例、第２実施例のドリップチャンバ１、２０１よりも距離を置いて位置している。
【００３２】
「血液流入点ＢＩＰ」を、血液が中間接続部５からドリップチャンバ１内部に流入する位置と定める。さらにいえば「血液流入点ＢＩＰ」は、後述する血液流入管１０の開口部１０Ｏの略中心位置と定める。
「最上点ＨＰ」を、ドリップチャンバ１の最上位置で、上部接続部２の最上位置と定める。
「最下点ＬＰ」を、ドリップチャンバ１の最下位置で、下部接続部３の血液流出口
１１Ｏの最下位置と定める。
「チャンバ全体の長さＡＬ」を、最上点ＨＰから最下点ＬＰまでの長さと定める。
「最上点ＨＰ」から「血液流入点ＢＩＰ」までの長さを「Ｌ１」と定める。
「血液流入点ＢＩＰ」から「最下点ＬＰ」までの長さを「Ｌ２」と定める。
【００３３】
「最上点ＨＰ」から「ダイアフラム１５の変形部１６の天面ＵＰ」までの長さを「Ｌ３」と定める。
「ダイアフラム１５の変形部１６の天面ＵＰ」から「最下点ＬＰ」までの長さを「Ｌ４」と定める。
「血液流入点ＢＩＰ」から「ダイアフラム１５の変形部１６の底面ＤＰ」までの距離を「Ｌ５」と定める。
ダイアフラム１５の変形部１６の「高さＨ」を、「ダイアフラム１５の変形部１６の天面ＵＰ」から固定部１７までの距離とすると定める。（図５、図６参照）
「Ｌ５」は小さいほど、血液室ＳＰＢの流体圧の圧力変動がダイアフラム１５の変形部１６を経て、空気室ＳＰＡに伝達され、当該空気室ＳＰＡの圧力変動を検知しやすくなる。あわせて、血液中に混入した気泡もダイアフラム１５の変形部１６を経て、
外に排出されやすくなる。
【００３４】
また空気室ＳＰＡの容積ＶＡは、可能な限り小さくしたほうが、圧力変動が大きくなり、検出しやすくなる。容積ＶＡがあまり大きいと圧力変動が小さくなり、検出しにくくなる。
容積ＶＡは、図９（Ａ）、（Ｂ）、図１０（Ａ）、（Ｂ）、（Ｃ）及び図１１（Ａ）、（Ｂ）、図１３（Ｂ）に示すように、第一接続部２と第一接続管７の長さ（第一接続管７を省略する場合も含む）を調整することにより、及び／又はダイアフラム１５の形態により、例えば略ドーム状の変形部１６．１を有するダイアフラム１５．１の場合、もしくは略シート状の変形部１６．３を有するダイアフラム１５．３の場合、もしくは固定部１７．５を長く形成したダイアフラム１５．５の場合、により自由に調整することができる。
例えば、図９（Ｂ）［図１１（Ｂ）］のように、高さＨを大きくすれば、容積ＶＡを小さくすることができる。
例えば、図１１（Ａ）、図１３（Ｂ）のように、第一接続管７を省略して、長さＬ２に対して、長さＬ１を小さくすれば、容積ＶＡを小さくすることができる。
第一接続管７を省略する代わりに、第一接続部２、第一接続管７の長さを短くしても良い。
【００３５】
また図１１（Ｂ）のように、長さＬ３をそれほど小さくしなくても、高さＨを大きくすれば、ＶＡを小さくすることが可能である。
また変形部１６がシート状または高さＨが小さい場合は、長さＬ１を小さくすれば、容積ＶＡを小さくすることができる。
【００３６】
図１２に示すように、血液が血液流入管１０から血液室ＳＰＢ内に流入し、血液の圧力が高くなると、変形部１６は血液に押されて、空気室ＳＰＡ側の方に変位する。空気室ＳＰＡ内の空気は、圧力モニタ管２Ｐのほうへ押され、圧力計Ｐがこれを血液室ＳＰＢ内の圧力変動として検出する。
図１２（Ａ）（容積ＶＡが小さい）のほうが、図１２（Ｂ）（容積ＶＡが大きい）よりも、血液室ＳＰＢ内の微細な圧力変動を正確に測定しやすくなる。
ダイアフラム１５．１（１５．２も同じ）の変形部１６．１の側部Ｓ方向の外周と、ドリップチャンバ１の内周との間には、実質的にスペース（隙間）を設けないほうが好ましい。
【００３７】
[血液流入管２１０]
血液流入管１０は、図１、図２のように、水平に配置するよりは、図３、図４の血液流入管２１０ように、上部Ｕ側に傾斜させて、配置するほうが、血液室ＳＰＢ内に混入した空気が上部Ｕ方向のダイアフラム１５を経て抜け易くなるので好ましい。
特に、前記した略ドーム状の変形部１６．１、１６．２を有するダイアフラム１５．１、１５．２に好適である。
変形部１６の高さＨを大きくして、空気室ＳＰＡの容積ＶＡを小さくできる。
「血液流入角度θ」を、図３（図４）に例示するように一方向の側部Ｓ−他方向の側部Ｓ（第３側部Ｓ３−第４側部Ｓ４）方向の水平線ＨＬと、血液流入管１０の長手Ｌ方向に沿う中心線ＣＬとが鋭角で交わる角度と定める。
血液流入管１０は、ドリップチャンバ１の側部Ｓ側で、かつ下部Ｄ側から上部Ｕ側に向けて、所定の血液流入角度θで配置している。
さらに下部Ｄ側から上部Ｕ側に向けて、血液流入口１０Ｉから開口部１０Ｏ方向へ上るように傾斜して、中間接続部５に装着（一体成形）している。
【００３８】
「血液流入角度θ」は、最大４５°まで形成するのが良い。
あまり角度が大きい（４５°を超える）と、ドリップチャンバ１（中間接続部５）内に導入される血液は、中間接続部５の内壁に沿って円周状に旋回流とならず、一部はダイアフラム１５の変形部１６近傍にまで上昇し、液面の乱れ、泡立ち等の原因となるので、好ましくない。
また乱流となりやすいので好ましくない。またドリップチャンバ１内に導入される血液は、上部Ｕ側から下部Ｄ側に移動するのに時間かかり、血液の循環速度が遅くなる（ダイアフラム１５側で滞留しやすくなる）ので好ましくない。
またダイアフラム１５．２の変形部１６．２もあまり高く形成すると、血液流入角度θを大きく（４５°を超える）形成しなければならないので、好ましくない。
【００３９】
次に本発明のドリップチャンバ１の使用方法の一例について説明する。
（１）生理食塩液を、血液流入管１０より、ドリップチャンバ１の血液室ＳＰＢ内に導入する。生理食塩液は、ダイアフラム１５．３の変形部１６．３の底面Ｂまで一杯に満たす。
（２）血液を、血液流入管１０の血液流入点ＢＩＰから、同様に血液室ＳＰＢ内に導入し、生理食塩液と置換する。
（３）継続して血液を、血液室ＳＰＢ内に導入する。血液は、第３側部Ｓ３（３時）方向から、ドリップチャンバ１（中間接続部５）内壁を、第１側部Ｓ１方向⇒第４側部Ｓ４方向⇒第２側部Ｓ２方向⇒第３側部Ｓ３）方向（⇒第１側部Ｓ１方向・・・以下、繰り返し）旋回しながら流入する。
【００４０】
（４）血液の流入により血液室ＳＰＢ内の圧力が所定の圧力以上に高く変動した場合は、ダイアフラム１５．３（変形部１６．３）は、血液に押されて空気室ＳＰＡ側に変位する。さらに空気室ＳＰＡ内の空気は、ダイアフラム１５．３（変形部１６.３）に押されて圧力モニタ管２Ｐ、接続管を経て、圧力計Ｐで血液室ＳＰＢ内の圧力変動として測定される。
血液流入管１０から血液とともに混入した血液室ＳＰＢ内の気泡は、ダイアフラム１５．３（変形部１６．３）を通過して、空気室ＳＰＡ側に排出される。
（５）血液は、血液流出管１１の血液流出口１１Ｏを経て排出される。
【実施例】
【００４１】
実施例１〜４のドリップチャンバ１、２０１、３０１、５０１と比較例のドリップチャンバ４０１について、試作品を作成し、前記と同様の操作を行い、圧力感度、気泡抜け、液面の乱れ、泡立ち等について確認した。
実施例１〜４の各ドリップチャンバの全体の長さＡＬを１００、比較例のドリップチャンバの全体の長さ１１０ＡＬをとした場合の各部の長さ等は、表１のとおりである。
【００４２】
【表１】
2016154581.tif 000003
【００４３】
なお長さＬ５＝Ｈ＋５、実施例４は長さＬ５＝１５＋５、長さＬ３＝Ｌ１−Ｌ５、長さＬ４＝１００−Ｌ３、長さＬ１＝４０、長さＬ２＝６０の関係にある。なお比較例のみＬ１＝５０である。
なお、圧力感度、気泡抜け、液面の乱れ、泡立ちの評価指標は、◎良好、○良い、△やや悪い、×悪いで表示した。
圧力感度は、各ドリップチャンバ内の血液の圧力と空気室SPA内の圧力をマノメーターで測定し差圧を求めた。
◎良好：差圧  ３kPa以内
○良い：差圧  ５kPa以内
△やや悪い：差圧  ５〜１０kPa
×悪い：差圧  １０kPa以上
気泡抜けは、ダイアフラム１５底面の気泡残留の有無。残留頻度で評価した。
◎良好：全くなし。
○良い：わずかに確認。
△やや悪い：確認
×悪い：やや目立つ
液面の乱れ、泡立ちは、ダイアフラム１５底面の血液の表面状態で評価した。
◎良好：全くなし
○良い：ほとんどなし
△やや悪い：確認
×悪い：やや目立つ
【００４４】
各部の長さ（大きさ）の関係を、不等号＞、＜、≦で表すと、
（実施例１）／図１、図２は、Ｌ１＜Ｌ２、Ｌ１＞Ｌ３、Ｌ３＜Ｌ４、Ｌ３＞Ｌ５、Ｌ５＞Ｈ、０≦θ≦４５°（θ＝０°）
（実施例２）／図３、図４は、Ｌ１＜Ｌ２、Ｌ１＞Ｌ３、Ｌ３＜Ｌ４、Ｌ３＞Ｌ５、Ｌ５＞Ｈ、０＜θ≦４５°（θ＝３０°）
（実施例３）／図９Ｂ、図１１Ｂは、Ｌ１＜Ｌ２、Ｌ１＞Ｌ３、Ｌ３＜Ｌ４、Ｌ３＞Ｌ５、Ｌ５＞Ｈ、０≦θ≦４５°（θ＝０°）
（実施例４）／図１３、図１１Ａは、Ｌ１＜Ｌ２、Ｌ１＞Ｌ３、Ｌ３＜Ｌ４、Ｌ３＝Ｌ５、Ｌ５＞Ｈ、０≦θ≦４５°（θ＝０°）
なお実施例１〜実施例４の空気室ＳＰＢの容積ＶＡの大きさは、使用上許容の範囲内であった。
（比較例）／図１０Ｂは、Ｌ１＜Ｌ２、Ｌ１＞Ｌ３、Ｌ３＜Ｌ４、Ｌ３＞Ｌ５、Ｌ５＞Ｈ、０＜θ≦４５°（θ＝１５°）である。なお比較例の空気室ＳＰＢの容積ＶＡの大きさは、大きすぎて、圧力測定精度に難があった。
【００４５】
以上の結果により、
（ａ）長さＬ３が小さいほど空気室ＳＰＡの容積ＶＡは小さくなるので、圧力検知感度が良くなる。
（ｂ）長さＬ５が大きいほど血液流入点ＢＩＰとダイアフラムの変形部とは遠くなり、液面の乱れは少なくなる。
（ｃ）高さＨが大きいほどＳＰＡのＶＡは小さくなり、圧力検知感度が良くなり、血液流入点ＢＩＰとダイアフラムの変形部とは遠くなるので、液面の乱れも少なくなる。
【００４６】
以上より本発明のドリップチャンバは、
（Ａ）（Ｌ１）＞（Ｌ２）、（Ｌ１）＞（Ｌ３）、（Ｌ３）＜（Ｌ４）、（Ｌ３）＞（Ｌ５）、（Ｌ５）＞（Ｈ）、０≦θ≦４５°、かつ（ＡＬ）１００に対し、（Ｌ３）は３５以下、
（なお比較例４のドリップチャンバは（ＡＬ）１００に換算すると、（Ｌ３）は３５を超えていた。）
または
（Ｂ）（Ｌ１）＞（Ｌ２）、（Ｌ１）＞（Ｌ３）、（Ｌ３）＜（Ｌ４）、（Ｌ３）≦（Ｌ５）、（Ｌ５）＞（Ｈ）、０≦θ≦４５°の条件を充足するものであればよい。
以上を総括すると、
ＡＬ１００に対して、Ｌ３は３５以下（〜２０迄、最小１０迄）で、Ｌ５は５以上（〜２０迄、最大３０迄）、Ｈは最大２０〜０（好ましくは１０〜０）に形成するのが良い。
【００４７】
図５から図８、図１４に示したタイプのダイアフラム１５．１〜１５．５は、
図１〜図４、図９〜図１１、図１３〜図１４のドリップチャンバ１０１、２０１、３０１、５０１のいずれにも適用することができる。
血液流入管１０（θ＝０°）、２１０（０°＜θ＜４５°、略３０°）は、ダイアフラム１５．１〜１５．５とともに、前記ドリップチャンバ１０１、２０１、３０１、５０１のいずれにも適用することができる。
【００４８】
（材料）
ドリップチャンバ１、２０１、３０１、４０１、５０１の材料は、ポリプロピレン、ポリカーボネート等、射出成形等により一体成形できる材料であれば何でも使用できる。
【符号の説明】
【００４９】
１、２０１、３０１、４０１、５０１  （圧力モニタ用）ドリップチャンバ
２    上部接続部
２Ｐ  圧力モニタ管
２Ｍ  溝部
３    下部接続部
３Ｔ  テーパ
３Ｍ  溝部
５  中間接続部
５ＭＵ  溝部（上部）
５ＭＤ  溝部（下部）
７    第一接続管
８    第二接続管（接続管）
１０、２１０    血液流入管
１０Ｉ、２１０Ｉ  血液流入口
１０Ｏ、２１０Ｏ  開口部
１１    血液流出管
１１Ｏ  血液流出口
１５（１５．１、１５．２、１５．３、１５．４、１５．５）ダイアフラム
１６（１６．１、１６．２、１６．３、１６．４、１６．５）変形部 
１７（１７．１、１７．２、１７．３、１７．４、１７．５）固定部 
１８（１８．１、１８．２、１８．３）底部 
ＢＩＰ  血液流入点
ＨＰ    最上点
ＬＰ    最下点
θ      血液流入角度
Ｓ１    第１側部
Ｓ２    第２側部
Ｓ３    第３側部
Ｓ４    第４側部
Ｕ      上部
Ｄ      下部
【図１】
2016154581.tif 000004
【図２】
2016154581.tif 000005
【図３】
2016154581.tif 000006
【図４】
2016154581.tif 000007
【図５】
2016154581.tif 000008
【図６】
2016154581.tif 000009
【図７】
2016154581.tif 000010
【図８】
2016154581.tif 000011
【図９】
2016154581.tif 000012
【図１０】
2016154581.tif 000013
【図１１】
2016154581.tif 000014
【図１２】
2016154581.tif 000015
【図１３】
2016154581.tif 000016
【図１４】
2016154581.tif 000017